(57)【要約】【課題】不可視のシンボルが印された媒体から情報を読み取ることができる携帯型読取装置、読取システム、及びユニットを提供する。【解決手段】スマートフォン１８と、赤外線を発光するＩＲＬＥＤ３６を有し、スマートフォン１８に取り付けられる外付けユニット３２と、を備え、ＩＲＬＥＤ３６を制御する制御部７６と、不可視のシンボル８が印されたチケット４に反射した赤外線を受光する赤外線カメラ４２と、を有する携帯型読取装置１０。【選択図】図２
2020144860.tif 000002
【特許請求の範囲】
【請求項１】
携帯情報端末と、
不可視光線を発光する発光部を有し、前記携帯情報端末に取り付けられるユニットと、
を備え、
前記発光部を制御する制御部と、
不可視のシンボルが印された媒体に反射した前記不可視光線を受光する不可視光線受光部と、
を有する携帯型読取装置。
【請求項２】
前記不可視光線受光部が前記ユニットに設けられることを特徴とする、請求項１に記載の携帯型読取装置。
【請求項３】
可視のシンボルが印された媒体に反射した可視光を受光する可視光受光部を備え、
前記受光した可視光に基づいて生成された画像を解析して前記可視のシンボルの情報を得ることを特徴とする、請求項１または請求項２に記載の携帯型読取装置。
【請求項４】
前記可視光受光部が前記ユニットに設けられることを特徴とする、請求項３に記載の携帯型読取装置。
【請求項５】
可視光を受光して画像を生成する可視光カメラと、
前記可視光カメラの入射光口を覆う位置から該入射光口を露出させる位置まで移動可能な不可視光線透過フィルタと、
を備え、
前記可視光カメラは、前記不可視光線透過フィルタが前記入射光口を覆う位置にあるときに、前記不可視光線受光部として機能する、請求項１から請求項４のいずれか１項に記載の携帯型読取装置。
【請求項６】
請求項１から請求項５のいずれか１項に記載の携帯型読取装置と、
前記不可視のシンボルが印された媒体と、
を備える読取システム。
【請求項７】
不可視光線を発光する発光部と、
携帯情報端末に取り付けるための取付部と、を備え、
前記携帯情報端末に取り付けられた状態において、該携帯情報端末が有する受光部が受光可能となるように配置されることを特徴とするユニット。
【発明の詳細な説明】
【技術分野】
【０００１】
本発明は、光学的に読取可能なシンボルが印された媒体から情報を読み取る携帯型読取装置、読取システム、及びユニットに関する。
【背景技術】
【０００２】
一次元コードや二次元コードなど光学的に読み取り可能なシンボルが印された媒体から情報を読み取る読取装置としてモバイル端末が用いられている。このようなモバイル端末として、近年では、スマートフォンやタブレット端末などのスマートデバイスに上記情報を読み取るアプリケーションがインストールされ、用いられている。
【０００３】
ここで、特許文献１には、券面に２種類のシンボルが印刷された入場券が記載されている。シンボルの一方は可視インクで印刷されており（以下、可視シンボルという。）、シンボルの他方は赤外線吸収材を含む不可視インクで印刷されている（以下、不可視シンボルという。）。可視シンボルは入場券の購入者が有するスマートフォンで情報が読み取られ、不可視シンボルは入場受付に設置された赤外線情報読取装置で情報が読み取られる。
【先行技術文献】
【特許文献】
【０００４】
【特許文献１】特開２０１７-８７５０３号公報
【発明の概要】
【発明が解決しようとする課題】
【０００５】
ところで、近年では、スマートフォンの高機能化やネットワークの高速化が進み、スマートフォンを介して提供されるサービスやスマートフォンを用いた業務が多様化している。このような背景から、不可視シンボルをスマートフォンで読み取りたいというニーズがある。
【０００６】
しかしながら、上記の特許文献にも記載されているように、不可視シンボルから情報を読み取る手段として、スマートフォントとは異なる赤外線情報読取装置が利用されており、上記のニーズに対応することができていない。また、このようなニーズはスマートフォンに限られずタブレット端末など携帯情報端末に存在している。
【０００７】
上記した課題に鑑み、本発明は、不可視のシンボルが印された媒体から情報を読み取ることができる携帯型読取装置および読取システムを提供することを目的とする。
【課題を解決するための手段】
【０００８】
（１）上記の目的を達成するため、本発明の携帯型読取装置は、携帯情報端末と、不可視光線を発光する発光部を有し、前記携帯情報端末に取り付けられるユニットと、を備え、前記発光部を制御する制御部と、不可視のシンボルが印された媒体に反射した前記不可視光線を受光する不可視光線受光部と、を有する。
【０００９】
（２）前記不可視光線受光部が前記ユニットに設けられることを特徴とする。
【００１０】
（３）また、本発明の携帯型読取装置は、可視のシンボルが印された媒体に反射した可視光を受光する可視光受光部を備え、前記受光した可視光に基づいて生成された画像を解析して前記可視のシンボルの情報を得ることを特徴とする。
【００１１】
（４）さらに、本発明の携帯型読取装置は、前記可視光受光部が前記ユニットに設けられることを特徴とする。
【００１２】
（５）また、本発明の携帯型読取装置は、可視光を受光して画像を生成する可視光カメラと、前記可視光カメラの入射光口を覆う位置から該入射光口を露出させる位置まで移動可能な不可視光線透過フィルタと、を備え、前記可視光カメラは、前記不可視光線透過フィルタが前記入射光口を覆う位置にあるときに、前記不可視光線受光部として機能することを特徴とする。
【００１３】
上記の目的を達成するため、本発明の読取システムは、上記（１）から（５）のいずれかに記載された携帯型読取装置と、前記不可視のシンボルが印された媒体と、を備える。
【００１４】
上記の目的を達成するため、本発明のユニットは、不可視光線を発光する発光部と、携帯情報端末に取り付けるための取付部と、を備え、前記携帯情報端末に取り付けられた状態において、該携帯情報端末が有する受光部が受光可能となるように配置されることを特徴とする。
【発明の効果】
【００１５】
本発明の携帯型読取装置、読取システム、及びユニットによれば、不可視のシンボルが印された媒体から情報を読み取ることができる。
【図面の簡単な説明】
【００１６】
【図１】（ａ）第１実施形態に係る読取システムの概略図、（ｂ）当該読取システムが備える携帯型読取装置の背面図、（ｃ）当該携帯型読取装置の側面図
【図２】（ａ）上記携帯型読取装置が有する外付けユニットのハードウェア構成図、（ｂ）携帯型読取装置の機能ブロック図
【図３】（ａ）上記携帯型読取装置が有するスマートフォンで実行される処理のフロー図、（ｂ）当該スマートフォンで実行される読取処理のフロー図
【図４】上記スマートフォンと外付けユニットとの間で実行される処理のフロー図
【図５】（ａ）第２実施形態の外付けユニットの平面図、（ｂ）当該外付けユニットのハードウェア構成図
【図６】第２実施形態の読取処理のフロー図
【図７】（ａ）第３実施形態の外付けユニットの平面図、（ｂ）当該外付けユニットの側面図、（ｃ）当該外付けユニットのハードウェア構成図
【図８】（ａ）第４実施形態の携帯型読取装置の一部平面図、（ｂ）当該携帯型読取装置が有する外付けユニットのＡ-Ａ断面図、（ｃ）当該外付けユニットのハードウェア構成図
【図９】（ａ）第４実施形態のスマートフォンのフロー図、（ｂ）第４実施形態の外付けユニットのフロー図
【発明を実施するための形態】
【００１７】
以下、図面に基づいて、本発明の実施形態に係るシステムを説明する。
【００１８】
＜第１実施形態＞
【００１９】
第１実施形態にかかる読取システム２は、図１（ａ）に示すように、印刷物であるチケット４から情報を読み取るシステムであって、光学的に読み取り可能な２種類のシンボル６，８が印刷されたチケット４と、各シンボル６，８から情報を読み取る携帯型読取装置１０と、を備えている。
【００２０】
チケット４の券面には当該チケット４の使用により提供されるサービスの内容（本実施形態では、コンサートの内容、日程、開場時間、及び開演時間）が表示されている。このチケット４は、縦断するように形成されたミシン目１２によって基部１４に対して切離部１６が切り離し可能に構成されている。切離部１６には、チケット４に一意に付与された識別情報が一次元シンボル６ａとして表示されている。この一次元シンボル６ａは、視認可能なインクによって印刷されている。以下、視認可能なインクによって印刷されたシンボルを可視シンボル６という。当該可視シンボル６は、チケット４を提供するサービス提供者が有する携帯型読取装置１０によって情報が読み取られる。
【００２１】
携帯型読取装置１０は、シンボル６，８を読み取る携帯可能な装置であり、携帯情報端末である公知のスマートフォン１８を備えている。図１（ｂ）に示すように、スマートフォン１８の背面には、そのＣＰＵ（不図示）によって制御される可視光発光ダイオード（以下、可視光ＬＥＤ２０）がその発光面を露出させて設けられている。当該可視光ＬＥＤ２０は可視光を発光する可視光発光部２２（図２（ｂ））として機能する。当該可視光ＬＥＤ２０の隣には、ＣＰＵ（不図示）によって制御される可視光カメラ２４が入射光口を露出させた状態で設けられている。この可視光カメラ２４が有するイメージセンサ（不図示）の受光面にはＲＧＢカラーフィルタ（不図示）が形成されており、当該イメージセンサが受光すると可視画像が生成される。このように可視光カメラ２４は可視光を受光する可視光受光部２６（図２（ｂ））および可視画像を生成する可視画像生成部として機能する。生成された可視画像はＣＰＵに対して出力される。当該ＣＰＵは、可視画像を取得すると、可視画像に含まれる可視シンボル６から情報を得るための所定のアルゴリズムを用いて解析を行う。このようなＣＰＵは、可視光ＬＥＤ２０の点灯を制御する制御部７６、可視光カメラ２４から可視画像を取得する画像取得部２８、および取得した可視画像を解析する解析部３０として機能する。
【００２２】
ここで、図１に示すように、本実施形態のチケット４の基部１４には、切離部１６に印刷された可視シンボル６に対応する二次元シンボル８ａが図柄に重畳的に印刷されている。当該二次元シンボル８ａは、赤外線を吸収し、視認することができないインクによって印刷されている。以下、当該インクによって印刷されたシンボルを不可視シンボル８という。当該不可視シンボル８もまた携帯型読取装置１０によって情報が読み取られる。
【００２３】
具体的には、携帯型読取装置１０は上記のスマートフォン１８に加えて外付けユニット３２を備えている。外付けユニット３２は、スマートフォン１８の背面側に両面テープによって取り付けられるユニットであって、スマートフォン１８の可視光カメラ２４および可視光ＬＥＤ２０に干渉しない位置に配置されている。すなわち、外付けユニット３２は、スマートフォン１８に取り付けられた状態において、スマートフォン１８が有する可視光カメラ２４が受光可能な位置に取り付けられている。また、外付けユニット３２は可視光カメラ２４の近傍に設けることが好ましい。
【００２４】
この外付けユニット３２の筐体３４には、赤外線発光ダイオード（以下、ＩＲＬＥＤ３６という。）がその発光面を露出した状態で設けられている。図２に示すように、ＩＲＬＥＤ３６は、外付けユニット３２が有するＣＰＵ３８に電気的に接続されており、ＣＰＵ３８によって制御される。従って、ＣＰＵ３８はＩＲＬＥＤ３６を制御する制御部７６として機能している。このようなＩＲＬＥＤ３６は赤外線を発光する赤外線発光部４０として機能する。ＩＲＬＥＤ３６の隣には、外付けユニット３２のＣＰＵ３８によって制御される赤外線カメラ４２がその入射光口を露出させた状態で設けられている。赤外線カメラ４２は、そのイメージセンサ（不図示）上に赤外線透過フィルタ（不図示）を有するものであり、イメージセンサは当該赤外線透過フィルタを透過して受光した赤外線の強度に応じて赤外線画像を生成する。このように、赤外線カメラ４２はチケット券面で反射した赤外線を受光する赤外線受光部４４（図２（b））および赤外線画像を生成する赤外線画像生成部として機能している。
【００２５】
生成された赤外線画像は外付けユニット３２が有するＢｌｕｅｔｏｏｔｈ（登録商標）モジュール４６を介してスマートフォン１８に送信される。なお、外付けユニット３２はバッテリー（不図示）を備えており、筐体３４に設けられた上記の電子デバイスは当該バッテリーからの電力供給によって駆動する。
【００２６】
スマートフォン１８のＣＰＵ（不図示）は、Ｂｌｕｅｔｏｏｔｈモジュール（不図示）を介して赤外線画像を取得し、取得した赤外線画像を解析して不可視シンボル８の情報を得る。すなわち、上述した画像取得部２８は可視画像だけでなく赤外線画像も取得するものであり、解析部３０は可視画像だけでなく赤外線画像も解析し情報を得るものである。
【００２７】
上記の携帯型読取装置１０のスマートフォン１８には、来場者によって提示されたチケット４が真正であるか否かを、読み取った各シンボル６，８の情報を照合することで確認するアプリケーションが組み込まれている。また、当該アプリケーションによる処理に応じて外付けユニット３２内の各電子デバイスを制御するプログラムが外付けユニット３２のメモリ４８に格納されている。以下、図３及び図４に基づいて携帯型読取装置１０の動作フローを説明する。
【００２８】
まず、スマートフォン１８のアプリケーションが起動されると、スマートフォン１８のＣＰＵ（不図示）は、選択処理（ｓ１０）を実行する。選択処理（ｓ１０）は、券面に印刷された可視シンボル６と不可視シンボル８のどちらを読み取るかをユーザに選択させる処理であり、例えば、スマートフォン１８のタッチパネルディスプレイ５０（図１）に“可視シンボル”と“不可視シンボル”の選択ボタンを表示させる。このような態様において可視シンボル６が選択された場合（ｓ２０：ＹＥＳ）には可視シンボル読取処理（ｓ３０）が実行され、不可視シンボル８が選択された場合（ｓ２０：ＮＯ）には不可視シンボル読取処理（ｓ４０）が実行される。
【００２９】
可視シンボル読取処理（ｓ３０）は、チケット４の券面に視認可能に印刷された可視シンボル６を読み取る処理であって、画像取得処理（ｓ３１）、画像表示処理（ｓ３２）、画像解析処理（ｓ３３）がこの順に実行される。なお、これらの処理は、可視シンボル６の情報を読み取ることができるまで繰り返し実行される（ｓ３４：ＮＯ）。画像取得処理（ｓ３１）は、スマートフォン１８の可視光カメラ２４から画像を取得する処理であって、スマートフォン１８のＣＰＵ（不図示）が可視光カメラ２４に対して画像生成リクエストを出し、可視光カメラ２４によって生成された画像を取得する。画像表示処理（ｓ３２）は、取得した画像をタッチパネルディスプレイ５０に表示させる処理である。このようにタッチパネルディスプレイ５０は取得した画像を表示する画像表示部５２として機能する。画像解析処理（ｓ３３）では、スマートフォン１８のＣＰＵが取得した画像を解析して画像に含まれる可視シンボル６から情報を取得する。
【００３０】
一方、不可視シンボル読取処理（ｓ４０）は、図４に示すように、チケット４の券面に印刷された不可視シンボル８を読み取る処理であって、先ずは画像リクエストが実行される（ｓ４１）。画像リクエスト（s４１）は、スマートフォン１８のＣＰＵ（不図示）がＢｌｕｅｔｏｏｔｈモジュールを介して外付けユニット３２に対して赤外線画像の撮像を要求する。
【００３１】
外付けユニット３２のＣＰＵ３８は、Ｂｌｕｅｔｏｏｔｈモジュール４６を介して画像リクエストを受信すると（ｓ１０１：ＹＥＳ）、発光処理（ｓ１０２）を実行する。発光処理（ｓ１０２）は、ＩＲＬＥＤ３６を発光させる処理であって、外付けユニット３２のＣＰＵ３８がその出力端子を制御することでトランジスタなどのスイッチ回路を駆動しＩＲＬＥＤ３６に電力を供給し発光させる。これにより、撮像対象であるチケット４の券面に向かって赤外線が照射されることとなる。次いで、外付けユニット３２では撮像処理（ｓ１０３）が実行される。撮像処理（ｓ１０３）は、赤外線カメラ４２が所定の撮像エリアを撮像し、赤外線画像を生成する処理である。赤外線画像が生成されると、外付けユニット３２のＣＰＵ３８は送信処理（ｓ１０４）を実行する。送信処理（ｓ１０４）は、赤外線カメラ４２から取得した赤外線画像を取得し、Ｂｌｕｅｔｏｏｔｈモジュールを介して赤外線画像をスマートフォン１８に送信する処理である。赤外線画像を送信すると、外付けユニット３２のＣＰＵ３８はＩＲＬＥＤ３６を消灯させる消灯処理（ｓ１０５）を実行する
【００３２】
スマートフォン１８のＣＰＵ（不図示）は、Ｂｌｕｅｔｏｏｔｈモジュール（不図示）を介して赤外線画像を取得すると（ｓ４２：ＹＥＳ）、画像表示処理（ｓ４３）を実行する。画像表示処理（ｓ４３）は、取得した赤外線画像をタッチパネルディスプレイ５０に表示させる処理である。チケット４の券面において視認できない不可視シンボル８が、タッチパネルディスプレイ５０上で視認できるようになる。スマートフォン１８のＣＰＵ（不図示）は画像解析処理（ｓ４４）を実行する。画像解析処理（ｓ４４）は、取得した赤外線画像を解析して画像に含まれる不可視シンボル８から情報を取得する。画像解析処理（ｓ４４）の結果、情報を取得できなかった場合（ｓ４５：ＮＯ）には、再度、画像リクエスト（ｓ４１）から実行される。一方、画像解析処理（ｓ４４）の結果、情報を取得できた場合には照合処理（ｓ５０）がスマートフォン１８のＣＰＵ（不図示）によって実行される。
【００３３】
照合処理（ｓ５０）は、各読取処理（ｓ３０，ｓ４０）によって読み取った情報を照合する処理である。すなわち、読み取った可視シンボル６と不可視シンボル８が互いに対応関係にあるか否かを判断する。照合した結果、両シンボル情報が互いに対応関係にある場合には、チケット４が真正である旨をタッチパネルディスプレイ５０に表示させる。これにより、当該携帯型読取装置１０を使用する受付係がチケット４をもぎることが可能となる。なお、照合処理（ｓ５０）において、いずれか一方のシンボルしか読み取っていない場合には、両方のシンボル情報を取得するまで、選択処理（ｓ１０）からの処理が繰り返し実行される。
【００３４】
本実施形態の携帯型読取装置１０によれば、視認可能な可視シンボル６および視認不可能な不可視シンボル８を単一の装置にて読み取ることが可能なる。
【００３５】
＜第２実施形態＞
【００３６】
上記の第１実施形態の携帯型読取装置１０はスマートフォン１８に可視光カメラ２４を備え、外付けユニット３２に赤外線カメラ４２を備えた構成であったが、図５に示すように、第２実施形態の携帯型読取装置は赤外線カメラ４２に加えて、可視光受光部２６として機能する可視光カメラ５４、及び可視光発光部２２として機能する可視光ＬＥＤ５６が外付けユニット５８に設けられている。当該可視光カメラ５４および可視光ＬＥＤ５６は外付けユニット５８のＣＰＵ３８に電気的に接続され、当該ＣＰＵ３８に制御される。
【００３７】
本実施形態の携帯型読取装置の動作フローは、図６に示すように、第１実施形態と同様の選択処理（ｓ６０）が実行される。そして、選択処理（ｓ６０）が実行されると、スマートフォン１８のＣＰＵ（不図示）は画像リクエスト（ｓ６１）を実行する。ここで、本実施形態の画像リクエスト（ｓ６１）では、外付けユニット５８に対して画像をリクエストするとともに、生成すべき画像タイプを送信する。当該画像タイプは、選択処理（ｓ６０）の結果に基づいて可視画像または赤外線画像を指標する情報が定められる。
【００３８】
外付けユニット５８のＣＰＵ３８は、画像リクエストを受信する（ｓ１１１：ＹＥＳ）と、受信した画像タイプに応じて発光すべきＬＥＤ３６，５６および駆動すべきカメラ４２，５４を選択して、発光処理（ｓ１１２）および撮像処理（ｓ１１３）を実行する。具体的には、発光処理（ｓ１１２）では、画像タイプとして可視画像が定められている場合には可視光ＬＥＤ５６を発光させ、画像タイプとして赤外線画像が定められている場合にはＩＲＬＥＤ３６を発光させる。撮像処理（ｓ１１３）では、画像タイプとして可視画像が定められている場合には可視光カメラ５４により撮像をおこない、画像タイプとして赤外線画像が定められている場合には赤外線カメラ４２により撮像を行う。
【００３９】
外付けユニット５８のＣＰＵ３８は、撮像処理（ｓ１１３）によって生成された画像を所定のカメラ４２，５４から取得して、第１実施形態と同様に送信処理（ｓ１１４）を実行することで画像をスマートフォン１８に送信する。その後、外付けユニット５８のＣＰＵ３８は第１実施形態と同様に消灯処理（ｓ１１５）を実行し所定のＬＥＤ３６，５６を消灯する。
【００４０】
スマートフォン１８のＣＰＵ（不図示）は外付けユニット５８から画像を受信すると（ｓ６２：ＹＥＳ）、当該画像を読取対象として指定された画像として認識し、第１実施形態と同様に画像表示処理（ｓ６３）、画像解析処理（ｓ６４）を経て照合処理（ｓ６６）を実行する。
【００４１】
＜第３実施形態＞
【００４２】
上記の第１実施形態および第２実施形態では外付けユニット３２，５８に赤外線カメラ４２が設けられた態様であったが、図７に示すように、第３実施形態の携帯型読取装置は外付けユニット６０に赤外線カメラを設けておらず、赤外線透過フィルタ６２を有している点で第１実施形態および第２実施形態と異なっている。以下、第１実施形態および第２実施形態と共通する点については説明を適宜省略し、異なる点について説明する。
【００４３】
赤外線透過フィルタ６２は、可視光をカットし、赤外線を透過させる方形薄板状に形成されている。当該赤外線透過フィルタ６２は外付けユニット６０に形成された一対のレール６４に保持されている。一対のレール６４は、外付けユニット６０の筐体６６上面に、赤外線透過フィルタ６２の幅寸法よりも若干狭い間隔を開けて平行に延在しており、各々の対向面には長手方向に延びる凹溝６８が形成されている。各レール６４の凹溝６８に上記の赤外線透過フィルタ６２が差し込まれ、レール６４に沿ってスライド可能に保持されている。また、本実施形態では、ＩＲＬＥＤ３６の発光面および可視光カメラ５４の入射光口が、一対のレール６４の長手方向に位置をずらして露出するように設けられている。このため、赤外線透過フィルタ６２はＩＲＬＥＤ３６の発光面と可視光カメラ５４の入射光口のいずれか一方を覆うようにスライド移動する。
【００４４】
なお、本実施形態の可視光カメラ５４は、第１実施形態および第２実施形態と同様にイメージセンサの表面にＲＧＢのカラーフィルタが設けられているが、当該カラーフィルタにおける赤色フィルタについては赤外線を減衰させながらも一部（近赤外波長）を透過させるような波長特性を有している。
【００４５】
上記のように構成される本実施形態の携帯型読取装置は、赤外線透過フィルタ６２をスライド移動させることで、外付けユニット６０に設けられた可視光カメラ５４のみで可視シンボル６と不可視シンボル８の両方の情報を読み取ることができる。すなわち、第２実施形態の動作フローと同様に、スマートフォン１８のＣＰＵ（不図示）が選択処理（ｓ６０）を実行することで、可視シンボル６と不可視シンボル８のいずれか一方が読取対象として選択される。ここで、ユーザは読取対象に応じて赤外線透過フィルタ６２をスライド移動させる。例えば、可視シンボル６が読取対象として選択された場合には、可視光カメラ５４の入射光口が露出するように、赤外線透過フィルタ６２をＩＲＬＥＤ３６側へとスライド移動させる。一方、不可視シンボル８が選択された場合には、可視光カメラ５４の入射光口を覆うように赤外線透過フィルタ６２をスライド移動させる。このように、赤外線透過フィルムが移動された状態で、スマートフォン１８から外付けユニット６０に対して画像リクエストが送信されると（ｓ６１）、外付けユニット６０において発光処理（ｓ１１２）が実行される。
【００４６】
発光処理（ｓ１１２）は、画像リクエストと共に受信した画像タイプに基づいて、ＩＲＬＥＤ３６を制御する処理である。具体的には、画像タイプとして可視画像が定められている場合には、ＩＲＬＥＤ３６を発光させない。一方、画像タイプとして赤外線画像が定められている場合にはＩＲＬＥＤ３６を発光させる。このようにして発光処理が実行されると撮像処理（ｓ１１３）が実行される。
【００４７】
本実施形態の撮像処理（ｓ１１３）では、ＣＰＵ３８によって可視光カメラ５４が制御され、画像が生成される。ここで、可視光カメラ５４が赤外線透過フィルタ６２によって覆われている場合（ＩＲＬＥＤ３６が発光している場合）には、当該赤外線透過フィルタ６２を透過した赤外線のみが可視光カメラ５４に入射し、イメージセンサ上の赤色フィルタで一部減衰しながらもイメージセンサで受光される。これにより赤外線画像が生成される。一方、可視光カメラ５４が赤外線透過フィルタ６２によって覆われていない場合（ＩＲＬＥＤ３６が発光していない場合）には、イメージセンサが受光した可視光に基づいて可視画像が生成される。このように赤外線透過フィルタ６２が可視光カメラ５４の入射光口を覆う位置にあるときに、可視光カメラ５４は赤外線受光部４４および赤外線画像生成部としても機能する。
【００４８】
撮像処理（ｓ１１３）が実行されると、ＣＰＵ３８は送信処理（ｓ１１４）を実行して画像をスマートフォン１８に送信し、消灯処理（ｓ１１５）を実行してＩＲＬＥＤ３６を消灯する。
【００４９】
本実施形態によれば、外付けユニット６０によって可視画像と赤外線画像の両方を取得することができるので、スマートフォン１８の可視光カメラ２４が使用できない場合や、可視光カメラ２４を備えていない携帯情報端末でも用いることが可能となる。
【００５０】
＜第４実施形態＞
【００５１】
上記の第１〜第３実施形態では、外付けユニット３２，５８，６０に赤外線カメラ４２及び／又は可視光カメラ５４を設けていたが、第４実施形態では外付けユニット７４にカメラを設けていない点で第１〜第３実施形態とは異なっている。
【００５２】
図８（ａ），（ｂ）に示すように、本実施形態の外付けユニット７４は、スマートフォン１８の可視光カメラ２４および可視光ＬＥＤ２０に被さるように取り付けられる。この外付けユニット７４の筐体７０は、スマートフォン１８の可視光カメラ２４及び可視光ＬＥＤ２０上に開口７２が形成されている。当該開口７２を挟むように一対のレール６４が設けられており、当該レール６４に赤外線透過フィルタ６２が保持されている。また、開口７２の近傍にはＩＲＬＥＤ３６が設けられている。
【００５３】
上記のように構成される本実施形態の携帯型読取装置によれば、外付けユニット７４の赤外線透過フィルタ６２をスライド移動させつつ、ＩＲＬＥＤ３６を適宜発光させることで、スマートフォン１８の可視光カメラ２４を用いて、可視シンボル６と不可視シンボル８の両方の情報を読み取ることができる。
【００５４】
具体的には、本実施形態の携帯型読取装置は、第１実施形態と同様にスマートフォン１８によって選択処理を実行する。スマートフォン１８は選択処理を実行すると、シンボルの読取処理を実行する。
【００５５】
読取処理では、図９に示すように、選択処理において選択された読取対象が不可視シンボル８であるか、可視シンボル６であるかを確認する。不可視シンボル８である場合（ｓ７１：ＹＥＳ）、Ｂｌｕｅｔｏｏｔｈモジュールを介して外付けユニット７４に発光リクエストを送信する（ｓ７２）。当該発光リクエストは（ｓ７２）、外付けユニット７４が有するＩＲＬＥＤ３６を発光させるリクエストである。発光リクエストを送信した後、及び選択処理において可視シンボル６が選択された場合（ｓ７１：ＮＯ）には、画像取得処理（ｓ７３）、画像表示処理（ｓ７４）から読取確認（ｓ７６）までの一連の処理を実行する。そして、読取が成功した場合（ｓ７６：ｙｅｓ）には、Ｂｌｕｅｔｏｏｔｈモジュールを介して、消灯リクエストを外付けユニット７４に送信し、第１実施形態と同様に照合処理を実行する。
【００５６】
外付けユニット７４は、図９（ｂ）に示すように、先ず、スマートフォン１８からの発光リクエストの有無を確認する。その結果、発光リクエストを受信していない場合（ｓ１２１：ＮＯ）には、ＣＰＵ３８がＩＲＬＥＤ３６を消灯させるよう制御する（ｓ１２５）。一方、発光リクエストを受信した場合（ｓ１２１：ＹＥＳ）には、ＣＰＵ３８がＩＲＬＥＤ３６を発光させるよう制御し（ｓ１２３）、スマートフォン１８からの消灯リクエストの有無を確認する（ｓ１２４）。その結果、消灯リクエストを受信していない場合には（ｓ１２４：ＮＯ）、消灯リクエストの有無を繰り返し確認する。一方、消灯リクエストを受信した場合（ｓ１２４：ＹＥＳ）には、ＣＰＵ３８はＩＲＬＥＤ３６を消灯させるよう制御する。ＩＲＬＥＤ３６を消灯した後は、スマートフォン１８からの発光リクエストの有無を確認する（ｓ１２１）。
【００５７】
上記のように構成される携帯型読取装置は、赤外線透過フィルタ６２が可視光カメラ２４上に配された状態で、不可視シンボル８の読み取りが選択されると、外付けユニット７４のＩＲＬＥＤ３６が発光する。そして、券面に反射した赤外線を受光した可視光カメラ２４のイメージセンサにより、赤外線画像が生成される。なお、上述のとおり可視光カメラ２４のイメージセンサに設けられた赤色透過フィルタは、赤外線を減衰させながら透過させ、透過光を受光したイメージセンサにより、赤外線画像が生成される。このように赤外線透過フィルタ６２が可視カメラ２４の入射光口を覆う位置にあるときに、可視光カメラ２４は赤外線受光部４４および赤外線画像生成部としても機能する。
【００５８】
本実施形態によれば、赤外線透過フィルタ６２をスライド移動させて、読取対象のシンボルを選択することで、可視シンボル６を含む可視画像や不可視シンボル８を含む赤外線画像を取得することが可能となり、可視シンボル６と不可視シンボル８の両方から情報を読み取ることが可能となっている。そして、スマートフォン１８が有する可視光カメラ２４を使用できることから、外付けユニット７４の構成が簡素化され、製造コストの低減を図ることが可能となる。
【００５９】
＜変形例１＞
上記実施形態では、両面テープを用いて外付けユニットをスマートフォンに取り付けることとしている。しかしながら、当該取付態様は上記両面テープに限定されず、スマートフォンの縁に引っ掛けるフックを外付けユニットの筐体に設けても構わない。このように、外付けユニットは、スマートフォンに取り付けられる取付部を備えていれば、その態様は特に限定されない。
【００６０】
＜変形例２＞
上記実施形態ではチケットを例に説明したが、本発明はチケット以外の印刷物などの媒体にも適用できる。
【００６１】
＜変形例３＞
上記の実施形態では不可視光線として赤外線を用いていたが紫外線を用いても構わない。この場合には、不可視光線を受光して不可視光線画像を生成するカメラや、紫外線のみを透過させる不可視光線透過フィルタを用いることができる。
【００６２】
＜変形例４＞
上記の実施形態では携帯情報端末としてスマートフォンを用いたが、これに限られず、タブレット端末を用いても構わない。
【００６３】
＜変形例５＞
第３実施形態の可視光カメラ５４や第４実施形態の可視光カメラ２４が有するイメージセンサは、可視光線に加えて赤外線を受光できるよう構成されていればどのような態様であっても構わない。例えば、イメージセンサは、赤色フィルタが表面に設けられた画素と、緑色フィルタが表面に設けられた画素と、青色フィルタが表面に設けられた画素と、フィルタが設けられていない画素と、を有し、これらの画素がイメージセンサの全面に均等配列されたものであっても構わない。当該イメージセンサを有する可視光カメラを用いれば、フィルタがもうけられた画素の出力に基づいて可視画像を生成し、フィルタが設けられていない画素の出力に基づいて赤外線画像を生成することができ、各々の画像に基づいて可視シンボルと不可視シンボルを読み取ることができる。
【００６４】
本発明は、その趣旨を逸脱しない範囲で当業者の知識に基づいて種々なる改良、修正、又は変形を加えた態様でも実施できる。また、同一の作用又は効果が生じる範囲内で、何れかの発明特定事項を他の技術に置換した形態で実施しても良い。
【符号の説明】
【００６５】
２  …  読取システム
４  …  チケット（媒体）
６  …  可視シンボル
８  …  不可視シンボル
１０  …  携帯型読取装置
１８  …  スマートフォン（携帯情報端末）
２４，５４  …  可視光カメラ
２６  …  可視光受光部
３０  …  解析部
３２，５８，６０，７４  …  外付けユニット（ユニット）
３６  …  赤外線発光ダイオード
４０  …  赤外線発光部（発光部）
４２  …  赤外線カメラ
４４  …  赤外線受光部（不可視光線受光部）
【図１】
2020144860.tif 000003
【図２】
2020144860.tif 000004
【図３】
2020144860.tif 000005
【図４】
2020144860.tif 000006
【図５】
2020144860.tif 000007
【図６】
2020144860.tif 000008
【図７】
2020144860.tif 000009
【図８】
2020144860.tif 000010
【図９】
2020144860.tif 000011